【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
ソレノイド動作バルブ機構であって、
ソレノイドケースと、
前記ソレノイドケースに接続されるバルブ本体と、
前記ソレノイドケースに接続されて磁束を伝達するポールピースと、
前記バルブ本体中に摺動自在に配され、前記磁束の存在下でバルブ閉位置からバルブ開位置に移動可能である一体とされたバルブ部材兼電機子と、
前記バルブ本体の一部であって、前記ソレノイドケースに係合可能で、前記バルブ部材兼電機子がその通電位置ないし非通電位置のいずれにあっても、前記ポールピースと前記バルブ部材兼電機子との間に非ゼロの空隙を形成する所定の長さを有するブッシュ部と、
前記ソレノイドケース内に前記ブッシュ部により保持されて、前記バルブ部材兼電機子を接触状態で摺動自在に受けるブッシュスリーブを有するソレノイドブッシュと、を備えることを特徴とするソレノイド動作バルブ機構。
【請求項２】
請求項１に記載のソレノイド動作バルブ機構であって、
前記ソレノイドケース内に受けられ、通電されると前記ポールピースに前記磁束を付与し、前記バルブ部材兼電機子を前記非通電位置から前記ポールピースに向かって前記通電位置に移動させるコイルをさらに備えることを特徴とするソレノイド動作バルブ機構。
【請求項３】
請求項２に記載のソレノイド動作バルブ機構であって、
前記バルブ部材兼電機子の通電位置において、前記ブッシュ部と接触する第一側を有する弁体をさらに備えることを特徴とするソレノイド動作バルブ機構。
【請求項４】
請求項３に記載のソレノイド動作バルブ機構であって、
前記弁体は、前記弁体が前記ブッシュ部に接触すると、前記弁体を圧縮させ、前記バルブ部材兼電機子を行き過ぎさせる弾性部材であり、前記空隙は、前記バルブ部材兼電機子と前記ポールピースとを接触させることなしにこの行き過ぎを許容することを特徴とするソレノイド動作バルブ機構。
【請求項５】
請求項１に記載のソレノイド動作バルブ機構であって、
前記ポールピースは、前記ソレノイドケース内にねじ締めにより受けられ、前記ポールピースを軸方向に調整可能にする複数のねじを有し、軸方向への前記ポールピースの調整により、前記空隙は、前記バルブ部材兼電機子がその通電位置ないし非通電位置のいずれにあっても、前記ポールピースと前記バルブ部材兼電機子との間で少なくとも最小値より大きくなることを特徴とするソレノイド動作バルブ機構。
【請求項６】
請求項１に記載のソレノイド動作バルブ機構であって、
前記ブッシュ部は、自由端の近傍に設けられるシート面を有することを特徴とするソレノイド動作バルブ機構。
【請求項７】
請求項１に記載のソレノイド動作バルブ機構であって、前記バルブ部材兼電機子に対する前記ポールピースの位置は、当該バルブ機構の全ての動作条件で非ゼロ値となる空隙を規定することを特徴とするソレノイド動作バルブ機構。
【請求項８】
ソレノイド動作バルブ機構であって、
ソレノイドケースと、
バルブシートを有し、前記ソレノイドケースに接続されるバルブ本体と、
前記ソレノイドケースに螺合により接続されて磁束を伝達するポールピースと、
前記バルブ本体中に摺動自在に配され、かつ、前記磁束の存在下でバルブ閉位置からバルブ開位置に移動可能であり、弾性材製の弁体を有するバルブ部材兼電機子と、
前記ソレノイドケース内に接触し、かつ、前記バルブ部材兼電機子を摺動自在に受けるソレノイドブッシュと、
前記ソレノイドブッシュに接触し、前記バルブ部材兼電機子がその通電位置ないし非通電位置のいずれにあっても前記ポールピースと前記バルブ部材兼電機子との間に非ゼロ幅の空隙を形成する所定の長さを有し、前記バルブ部材兼電機子と前記ポールピースが接触しないようにするブッシュ部と、
前記バルブ本体内に位置し、前記ソレノイドブッシュと前記バルブ部材兼電機子との間に配置され、前記ソレノイドブッシュおよび前記バルブ部材兼電機子と接触するとともに、前記バルブ部材兼電機子を、前記ポールピースから遠ざけ、前記弁体が前記バルブシートに当接するバルブ閉位置に向かって継続的に付勢する付勢部材と、を備えることを特徴とするソレノイド動作バルブ機構。
【請求項９】
請求項８に記載のソレノイド動作バルブ機構であって、
前記バルブ部材兼電機子は、前記バルブ部材兼電機子の全長にわたって延びる第一均圧流路を有することを特徴とするソレノイド動作バルブ機構。
【請求項１０】
請求項９に記載のソレノイド動作バルブ機構であって、
前記ポールピースにわたって延び、前記第一均圧流路と軸方向に揃えて配列される第二均圧流路をさらに備えることを特徴とするソレノイド動作バルブ機構。
【請求項１１】
請求項８に記載のソレノイド動作バルブ機構であって、
前記バルブ部材兼電機子の弁体は外側被覆されたエラストマーを有することを特徴とするソレノイド動作バルブ機構。
【請求項１２】
請求項８に記載のソレノイド動作バルブ機構であって、
前記ポールピースは、前記ソレノイドケース内にねじ締めにより受けられ、前記ポールピースを前記バルブ部材兼電機子に対して軸方向に調整可能にする複数のねじを有し、軸方向への前記ポールピースの調整により、前記空隙は、前記バルブ部材兼電機子がその通電位置ないし非通電位置のいずれにあっても、前記ポールピースと前記バルブ部材兼電機子との間で少なくとも最小値より大きくなることを特徴とするソレノイド動作バルブ機構。
【請求項１３】
請求項１２に記載のソレノイド動作バルブ機構であって、
軸方向への前記ポールピースの調整により前記ポールピースを前記バルブ部材兼電機子に近づけて、初めに前記空隙を前記ポールピースと通電位置にある前記バルブ部材兼電機子との間で最小値に設定することを特徴とするソレノイド動作バルブ機構。
【請求項１４】
ソレノイド動作バルブ機構であって、
コイルを有するソレノイドケースと、
前記ソレノイドケースに接続されるバルブ本体と、
前記ソレノイドケースに接続されて磁束を伝達するポールピースと、
電機子とこの電機子に結合されたバルブ部材との一体化された結合体として製造され、前記バルブ本体中に摺動自在に配され、前記磁束の存在下でバルブ閉位置からバルブ開位置に移動可能である一体とされたバルブ部材兼電機子と、
前記ソレノイドケースに受けられ、前記バルブ部材兼電機子がその通電位置ないし非通電位置のいずれにあっても、前記ポールピースと前記バルブ部材兼電機子との間に非ゼロの空隙を形成する所定の長さを有するソレノイドブッシュと、
前記ソレノイドブッシュと前記バルブ部材兼電機子とに接触し、前記コイルが非通電状態のとき、前記バルブ部材兼電機子を前記非通電位置に向けて付勢する付勢部材と、を備え、
前記バルブ部材兼電機子の第1端部は前記ソレノイドブッシュのブッシュスリーブ中に摺動自在に配されていることを特徴とするソレノイド動作バルブ機構。
【請求項１５】
請求項１４に記載のソレノイド動作バルブ機構であって、
前記バルブ部材兼電機子は、磁性材により形成されていることを特徴とするソレノイド動作バルブ機構。
【請求項１６】
請求項１５に記載のソレノイド動作バルブ機構であって、
前記バルブ部材兼電機子の弁体は外側被覆されたエラストマーを有することを特徴とするソレノイド動作バルブ機構。
【手続補正２】
【補正対象書類名】明細書
【補正対象項目名】００５８
【補正方法】変更
【補正の内容】
【００５８】
空隙２７８'の幅Ｗ２は、まずブッシュ部２６８の長さ"Ｖ"を予め決定し、ソレノイドケース２６２の対応のねじ２９２にねじ締めにより受けられるポールピース２６０のねじ２９０を用いて必要に応じてポールピース２６０をねじ締めにより調整することによって維持される。ブッシュ部２６８の自由端２８６に形成されるシート面２８４は、バルブ機構２５２が通電されると、弁体２７２の面２８８を受けるように構成される。弁体２７２が弾性材料であることから、シート面２８４が先に面２８８に接触した後、バルブ部材兼電機子２５４が摺動方向"Ｕ"へ行き過ぎることが起こりうる。したがって、ブッシュ部２６８の長さ"Ｖ"は、弁体の２７２の使用による通常の摩耗を許容するとともに、このような行き過ぎも許容するように、最初に予め決定される。